(57)【要約】【課題】携帯性がよく、防寒性能の高いマスク付帽子を提供する。【解決手段】帽子部２にマスク部５を縫い付けたことにより、頭部や首周りの防寒のために帽子とマフラーなど２つの防寒具を持ち運ぶことなく、頭部のみ、頭部と顔、または頭部と首周りの３パターンの防寒をマスク付帽子１のみで行うことができ、複数の防寒具を持ち運ぶ必要がなく携帯性がよい。帽子部２の裏地とマスク部５との縫い合わせ位置を裏地の端部より所定長さ上側としたことにより、マスク部５を帽子部２内に収納してマスク付帽子１を通常の帽子として使用する際に、マスク部５が表に出てしまうことがなく、見栄えが良い。【選択図】図４
2008308795.tif 000002
【特許請求の範囲】
【請求項１】
頭部を覆う帽子部と、
該帽子部に連結され、略円筒形状に形成されて顔を通すことが可能なマスク部と、より構成されていることを特徴とするマスク付帽子。
【請求項２】
前記マスク部と前記帽子部との接続部は、前記帽子部の内側であって、開口部から所定長さだけ頂点部側に位置することを特徴とする請求項１に記載のマスク付帽子。
【請求項３】
前記マスク部と前記帽子部との接続長さは、前記帽子部と前記マスク部との間から顔を出しやすく前記マスク部の自由度を損なうことのない長さであることを特徴とする請求項１または２に記載のマスク付帽子。
【請求項４】
前記帽子部は表地と裏地とより構成され、該表地と裏地は前記帽子部の頂部近傍のみにおいて両者が縫い合わせられていることを特徴とする請求項１から３のいずれか１つに記載のマスク付帽子。
【発明の詳細な説明】
【技術分野】
【０００１】
本発明は、防寒用のマスクを備えた携帯性の高いマスク付帽子に関する。
【背景技術】
【０００２】
従来、頭部の防寒用具として、頭に被る帽子が一般的に知られている。
これらの帽子は、一般的には頭部のみを覆うものであり、首周りを覆っていない。そこで、首元が寒い場合には帽子に加えてマフラー等を使用する必要がった。
また特開平１１−２２９２２３号公報には、帽子に耳当てを備えたものが開示されているが、首元まで覆うものではないため、防寒性が低い。
【特許文献１】特開平１１−２２９２２３号公報
【発明の開示】
【発明が解決しようとする課題】
【０００３】
従来の帽子では、首周りを覆うことができないため、頭部と首周りの防寒を行うためには、帽子とマフラーの２つの防寒具を準備しておく必要があり、携帯性が悪いといった問題があった。
【課題を解決するための手段】
【０００４】
そこで本発明はこのような問題点に鑑み、携帯性がよく、防寒性能の高いマスク付帽子を提供することを目的とする。
そのため本発明は、頭部を覆うお椀形状に形成された帽子部の内側に、略円筒形状に形成されて顔を通すことが可能なマスク部を連結して、マスク付帽子の着用時にマスク部によって顔や首元を覆うことができるようにした。
【０００５】
また、マスク部と帽子部との接続部を、帽子部の内側であって、開口部から所定長さだけ頂点部側に位置させ、マスク部を帽子部に中に収納した際に接続部が表に出ないようにした。
さらにマスク部と帽子部との接続長さを、帽子部とマスク部との間から顔を出しやすくマスク部の自由度を損なうことのない長さにした。
また帽子部を表地と裏地とより構成し、表地と裏地を帽子部の頂部（天）近傍においてのみ縫い合わせるものとした。
【発明の効果】
【０００６】
本発明によれば、帽子部にマスク部を取り付けたことにより、マスク付帽子を通常の帽子として使用する際は、マスク部を帽子部の内側に収納することができ、またマスク部に顔を通すことにより顔と首元も覆うことができる。さらにマスク部を首元に寄せることで、マスク部で首元のみを覆うこともできる。
このように頭部のみ、頭部と顔、または頭部と首周りの３パターンの防寒をマスク付帽子のみで行うことができ、複数の防寒具を持ち運ぶ必要がなく携帯性がよい。
【０００７】
またマスク部を帽子部内に収納した際に、マスク部と帽子部との接続部が表に出ず見栄えが良い。
さらにマスク部と帽子部との接続長さを、帽子部とマスク部との間から顔を出しやすくマスク部の自由度を損なうことのない長さにしたため、マスク付帽子を着用しやすく、脱ぎやすいものとすることができる。
【０００８】
表地と裏地を帽子部の頂部近傍においてのみ縫い合わせるものとしたため、マスク付帽子の着用時に帽子部の開口を広げた場合でも、表地と裏地にひきつれが生じることがなく、縫い合わせ部が裂けてしまうことなどを防止することができる。
【発明を実施するための最良の形態】
【０００９】
次に本発明の実施の形態を実施例により説明する。
図１は、マスク付帽子の斜視図であり、図２は、マスク付帽子の断面を示す図である。また図３は、マスク付帽子の正面図である。
頭部を覆うお椀形状の帽子部２と、帽子部２に縫い付けられた円筒形状のマスク部５とよりマスク付帽子１が構成される。
帽子部２およびマスク部５は、たとえばニット素材など伸縮性の良い素材によって構成されている。
【００１０】
帽子部２は、特に図２に示されるように表地３と裏地４とより構成されている。
表地３と裏地４は、円筒形状に形成された生地より形成され、図２に示すように下側の端部内側の帽子部下端縫付部１１において両者が縫い合わせられている。
また表地３と裏地４は、図１に示すように円筒形状の上側の端部を絞り込むように帽子部上端縫付部１０において縫い合わせられて、円筒形状の開口を封止してお椀形状に形成されている。
【００１１】
なお表地３と裏地４は、帽子部上端縫付部１０において円筒形状の開口が縫い合わされると同時に、両者が縫い付けられている。
したがって表地３と裏地４は、帽子部２の下端の帽子部下端縫付部１１と、頂点部分の帽子部上端縫付部１０においてのみ両者が縫い合わせられている。
これにより、帽子部２の着用の際に帽子部２を引っ張って開口を広げても、表地３や裏地４の縫い付けによる引きつれが生じることなく型崩れがない。
【００１２】
マスク部５は、特に図２に示すように、円筒形状の端部内側のマスク縫付部１２において裏地４と縫い付けられている。
またマスク部５は、円筒を軸方向と直交する方向に対して斜めに切った形状に形成され、図２に示すように裏地４との縫い付け部分から下方側に下がった形状となっている。
裏地４とマスク部５との縫い付け長さ（マスク縫付部１２の長さ）は、図３に示すように１５センチメートル程度とすることが好ましい。
これは、裏地４とマスク部５との縫い付け長さを長くしすぎると、マスク付帽子１の使用時にマスク部５の自由度が損なわれ、帽子部２とマスク部５の間から顔を出しにくくなってしまうからである。
【００１３】
また、マスク部５を裏地４に縫い付ける際に、裏地４の端部に縫い付けるのではなく、裏地４の端部から例えば６センチメートル上の位置に縫い付けることが好ましい。
これにより、マスク部５を帽子部２の内部に収納する際にマスク部５やマスク縫付部１２が帽子部２の表面にはみ出し不体裁となることを防止できる。
【００１４】
次に、マスク付帽子１の着用方法について説明する。
図４にマスク付帽子の着用状態を示す。図４（ａ）は、マスク付帽子１を通常の帽子として使用した状態を示し、図４（ｂ）は、マスク付帽子１を帽子兼マスクとして使用した状態を示す。また図４（ｃ）は、マスク付帽子１を帽子兼ネックウォーマーとして使用した状態を示す。
図４（ａ）に示すように、マスク付帽子１を通常の帽子として使用する場合には、マスク部５を帽子部２の内側に収納して使用する。
【００１５】
図４（ｂ）に示すようにマスク付帽子１を帽子兼マスクとして使用する場合には、マスク部５の中に顔を通し、帽子部２とマスク部５との間から目のみを出し、マスク部５によって首元から鼻にかけて覆う。
このとき、耳もマスク部５によって覆うことができる。
なお、裏地４とマスク部５とが縫い付けられている部分が後ろ側にくるようにしてマスク付帽子１を着用する。
【００１６】
図４（ｃ）に示すようにマスク付帽子１を帽子兼マフラーとして使用する場合には、マスク部５に顔を完全に通して帽子部２とマスク部５との間から顔を出し、マスク部５を首元に寄せておく。
【００１７】
本実施例は以上のように構成され、帽子部２にマスク部５を縫い付けたことにより、頭部や首周りの防寒のために帽子とマフラーなど２つの防寒具を持ち運ぶことなく、頭部のみ、頭部と顔、または頭部と首周りの３パターンの防寒をマスク付帽子１のみで行うことができ、複数の防寒具を持ち運ぶ必要がなく携帯性がよい。
裏地４とマスク部５との縫い合わせ位置であるマスク縫付部１２を、裏地４の端部より所定長さ上側としたことにより、マスク部５を帽子部２内に収納してマスク付帽子１を通常の帽子として使用する際に、マスク部５やマスク縫付部１２が表に出てしまうことがなく、見栄えが良い。
【００１８】
表地３と裏地４の縫い合わせ位置である帽子部上端縫付部１０の長さを帽子部２の頂点部分のみとしたので、マスク付帽子１の着用時に帽子部２の開口を広げた場合でも、表地３と裏地４にひきつれが生じることがなく、縫い合わせ部が裂けてしまうことなどを防止することができる。
【００１９】
なお本実施例において説明したマスク付帽子１の帽子部２の形状に限定されることなく、例えば、図５に示すように、ツバ付きの帽子部にマスク部を縫い付けてもよい。
【図面の簡単な説明】
【００２０】
【図１】マスク付帽子の斜視図
【図２】マスク付帽子の断面図
【図３】マスク付帽子の正面図
【図４】マスク付帽子の使用状態を示す図
【図５】ツバ付帽子の使用状態を示す図
【符号の説明】
【００２１】
１      マスク付帽子
２      帽子部
３      表地
４      裏地
５      マスク部
１０    帽子部上端縫付部
１１    帽子部下端縫付部
１２    マスク縫付部
【図１】
2008308795.tif 000003
【図２】
2008308795.tif 000004
【図３】
2008308795.tif 000005
【図４】
2008308795.tif 000006
【図５】
2008308795.tif 000007